(57)【要約】【課題】ノイズをより効果的に抑制することのできるスピーカ装置を提供する。【解決手段】スピーカ装置であって、スピーカと、それぞれ第１の開口端及び第２の開口端を含む複数の開管と、前記スピーカ及び前記複数の開管が配置されたキャビネットと、を含み、前記第１の開口端から前記第２の開口端に向かう方向に、前記複数の開管のうち、少なくとも１の開管の前記第１の開口端の位置が、他の少なくとも１の開管の前記第１の開口端の位置と異なるように配置されていることを特徴とする。【選択図】図１
2017017628.tif 000002
【特許請求の範囲】
【請求項１】
スピーカと、
それぞれ第１の開口端及び第２の開口端を含む複数の開管と、
前記スピーカ及び前記複数の開管が配置されたキャビネットと、を含み、
前記第１の開口端から前記第２の開口端に向かう方向に、前記複数の開管のうち、少なくとも１の開管の前記第１の開口端の位置が、他の少なくとも１の開管の前記第１の開口端の位置と異なるように配置されていることを特徴とするスピーカ装置。
【請求項２】
前記少なくとも１の開管は、前記第１の開口端から前記第２の開口端に向かう方向に、前記第２の開口端の位置が、前記他の少なくとも１の開管の前記第２の開口端の位置と異なるように配置されていることを特徴とする請求項１記載のスピーカ装置。
【請求項３】
前記複数の開管は、束ねて形成されていることを特徴とする請求項１または２のいずれかに記載のスピーカ装置。
【請求項４】
前記複数の開管は、太さの異なる第１の開管と第２の開管とを含み、
前記第１の開管は前記第２の開管の内側に配置される、ことを特徴とする請求項１乃至３のいずれかに記載のスピーカ装置。
【請求項５】
スピーカと、
それぞれ第１の開口端及び第２の開口端を含む複数の開管と、
前記スピーカ及び前記複数の開管が配置されたキャビネットと、を含み、
前記複数の開管のうち、少なくとも１の開管は、他の少なくとも１の開管と長さが異なることを特徴とするスピーカ装置。
【発明の詳細な説明】
【技術分野】
【０００１】
本発明は、バスレフ型スピーカ装置に関する。
【背景技術】
【０００２】
スピーカのキャビネットにバスレフポート（以下「ポート」という）を設け、キャビネット内部の体積とポートの長さ、断面積によるヘルムホルツ共振を利用するバスレフ型スピーカ装置が知られている。また、バスレフ型スピーカ装置においては、キャビネットのフロントパネルの面積を有効活用するため、複数のポートを設けることが知られている（下記特許文献１参照）。
【先行技術文献】
【特許文献】
【０００３】
【特許文献１】特開１０−２４３４８６号公報
【発明の概要】
【発明が解決しようとする課題】
【０００４】
上記のようなバスレフ型スピーカ装置においては、ポートの端部近傍で気流の乱れが発生する。当該気流の乱れは多くの周波数成分を含み、当該ポートの共鳴周波数に一致する成分がポートの管共鳴を励起し、ノイズとなる。また、例えば、近接する複数のポートを設けた場合において各ポートの開口端の位置が同じとなるように配置した場合、各ポートの開口端近傍の気流の乱れが同時に発生し、ノイズが大きくなる。
【０００５】
上記課題に鑑みて、本願発明のある側面は、ノイズをより効果的に抑制することのできるスピーカ装置を提供することを目的とする。
【課題を解決するための手段】
【０００６】
（１）本発明のある側面におけるスピーカ装置は、スピーカと、それぞれ第１の開口端及び第２の開口端を含む複数の開管と、前記スピーカ及び前記複数の開管が配置されたキャビネットと、を含み、前記第１の開口端から前記第２の開口端に向かう方向に、前記複数の開管のうち、少なくとも１の開管の前記第１の開口端の位置が、他の少なくとも１の開管の前記第１の開口端の位置と異なるように配置されていることを特徴とする。
【０００７】
（２）上記（１）におけるスピーカ装置において、前記少なくとも１の開管は、前記第１の開口端から前記第２の開口端に向かう方向に、前記第２の開口端の位置が、前記他の少なくとも１の開管の前記第２の開口端の位置と異なるように配置されていることを特徴とする。
【０００８】
（３）上記（１）または（２）におけるスピーカ装置において、前記少なくとも１の開管は、前記他の少なくとも１の開管と長さが異なることを特徴とする。
【０００９】
（４）上記（１）または（２）におけるスピーカ装置において、前記複数の開管の長さは、同じであることを特徴とする。
【００１０】
（５）上記（１）乃至（４）のいずれかにおけるスピーカ装置において、前記複数の開管は、前記第１の開口端から前記第２の開口端に向かう方向に開口の断面の面積が変化するように形成された開管を含むことを特徴とする。
【００１１】
（６）上記（１）乃至（５）のいずれかにおけるスピーカ装置において、前記複数の開管は、束ねて形成されていることを特徴とする。
【００１２】
（７）上記（１）乃至（５）のいずれかにおけるスピーカ装置において、前記複数の開管は、太さの異なる第１の開管と第２の開管とを含み、前記第１の開管は前記第２の開管の内側に配置される、ことを特徴とする。
【００１３】
（８）本発明の他の側面におけるスピーカ装置は、スピーカと、それぞれ第１の開口端及び第２の開口端を含む複数の開管と、前記スピーカ及び前記複数の開管が配置されたキャビネットと、を含み、前記複数の開管のうち、少なくとも１の開管は、他の少なくとも１の開管と長さが異なることを特徴とする。
【図面の簡単な説明】
【００１４】
【図１】本発明の実施の形態におけるスピーカ装置を正面から見た場合の概要を表す斜視図である。
【図２】図１に示すスピーカ装置を側面から見た場合の概要を表す斜視図である。
【図３】図１に示すバスレフ側スピーカ装置を側面から見た場合の概要を示す断面図である。
【図４】本実施の形態における開管群の他の一例について示す図である。
【図５】本実施の形態における開管群の他の一例について示す図である。
【図６】本実施の形態における効果の一例について説明するための図である。
【図７】本実施の形態における効果の他の一例について説明するための図である。
【図８】本実施の形態における効果の他の一例について説明するための図である。
【図９】テーパ状の開管の一例を示す図である。
【図１０】テーパ状の開管を用いた場合の効果について説明するための図である。
【図１１】本発明の他の実施の形態におけるスピーカ装置を正面から見た場合の概要を表す斜視図である。
【図１２】図１１に示すスピーカ装置を側面から見た場合の概要を表す斜視図である。
【図１３】図１１に示すバスレフ側スピーカ装置を側面から見た場合の概要を示す断面図である。
【図１４】開管群の他の一例を示す図である。
【発明を実施するための形態】
【００１５】
以下、本発明の実施形態について、図面を参照しつつ説明する。なお、図面については、同一又は同等の要素には同一の符号を付し、重複する説明は省略する。
【００１６】
図１は、本発明の実施の形態におけるスピーカ装置を正面から見た場合の概要を表す斜視図である。図２は、図１に示すスピーカ装置を側面から見た場合の概要を表す斜視図である。図３は、図１に示すスピーカ装置を側面から見た場合の概要を示す断面図である。なお、図１及び図２においては、スピーカ装置の内部構成の理解の容易化のため、キャビネット１０２について斜線で示した透視図として示す。また、図１乃至図３においては、図面の簡略化のためスピーカユニット（スピーカ）１０１、キャビネット１０２、開管群１０３以外の要素については、図示を省略する。
【００１７】
図１乃至図３に示すように、本実施の形態におけるスピーカ装置１００は、キャビネット１０２と、スピーカ１０１と、複数の開管（ポート部）で構成される開管群１０３とを含む。開管は、例えば、２の開口端を含む直管で構成される。なお、図１乃至図３においては、１のスピーカ１０１のみを示しているが、用途に応じて異なる数のスピーカ１０１を配置してもよい。また、図１乃至図３においては、１の開管群１０３のみを示しているが、複数の開管群１０３を有するように構成してもよい。なお、本実施の形態におけるスピーカ装置１００は、バスレフポートを設け、ヘルムホルツ共鳴を利用するバスレフ型スピーカ装置に相当する。
【００１８】
キャビネット１０２は、例えば、複数の板で構成される中空の直方体形状で形成される。なお、図１及び図２においては、理解の容易化のためキャビネット１０２の厚み等を省略しているが、実際には所定の厚みを有することはいうまでもない。
【００１９】
図１乃至図３に示すようにキャビネット１０２は、スピーカ１０１を配置するための第１の開口部１０４と、開管群１０３を配置するための第２の開口部１０５を有する。なお、図１乃至図３においては、キャビネット１０２がそれぞれ１の第１の開口部１０４や第２の開口部１０５を含む場合を示すが、上記のようにキャビネット１０２はスピーカ１０１の数や開管群１０３の数に応じた数の第１の開口部１０４や第２の開口部１０５を有することはいうまでもない。
【００２０】
また、図１乃至図３においては、第１の開口部１０４及び第２の開口部１０５がキャビネット１０２の同じ面（正面）に配置される場合を示すが、第２の開口部１０５については、第１の開口部１０４が設けられる面とは異なる面（例えば背面）に配置するように構成してもよい。また、開管群１０３が配置される位置は例示であって、本実施の形態はこれに限定されるものではない。更に、開管群１０３を配置する第２の開口部１０５の形状も例示であって、例えば、矩形形状にするなど、異なる形状であってもよい。また、図１乃至３においては図示を省略しているが、開管群１０３をキャビネット１０２に設けられた第２の開口部１０５に支持するための支持部を設けてもよい。
【００２１】
開管群１０３は、第１の開口端及び第２の開口端を含む複数の開管で形成する。具体的には、例えば、図１乃至図３に示すように、開管群１０３は、略同一の太さの開管を束ねて形成される。なお、図１乃至図３においては、一例として、略同一の太さの複数の開管を束ねて開管群１０３とする場合を示すが、異なる太さの開管を含むように構成してもよい。また、各開管は、互いに接触して配置されるように構成してもよいし、所定の間隔で配置されるようにしてもよい。更に、所定の間隔で配置する場合、開管群１０３は、各開管が所定の間隔で配置するように開管と開管の間に例えば樹脂等で形成されたスペーサを設けるように構成してもよい。また、開管群１０３を形成する各開管は、上記の形状に限られず、異なる形状であってもよい。例えば、開管の断面の形状は、矩形形状や６角形の形状等であってもよい。
【００２２】
図１乃至図３に示すように、開管群１０３は、第１の開口端の位置及び第２の開口端の位置が異なるように配置された複数の開管を有する。具体的には、例えば、図１乃至図３に示す場合、開管群１０３の内側から外側に向かって、長さのより長い開管を配置することにより、第１の開口端の位置及び第２の開口端の位置を異ならせる。言い換えれば、例えば、第２の開口部１０５の外側から内側に向かって順に長さが短い開管を配置する。なお、図１乃至図３においては、開管群１０３外側から内側に向かって順に長さがより短い開管を配置する場合について説明したが、第１の開口端の位置及び第２の開口端の位置が異なる複数の開管を配置する限り、異なる配置であってもよい。例えば、長さの異なる複数の開管をランダムに配置して開管群１０３を形成してもよい。
【００２３】
上記においては、主に、長さが異なる複数の開管で開管群１０３を形成する場合について説明したが、例えば、図４に示すように、同じ長さの複数の開管で開管群１０３を形成するとともに、開管の開口端の位置をずらして配置することにより、開管群１０３が第１の開口端の位置及び第２の開口端の位置が異なる複数の開管を有するように構成してもよい。なお、図４においては、開管毎に全て開口端の位置が異なる場合を示すが、全て開管で開口端の位置が異なるように配置しなくてもよく、一部が異なるように配置してもよい。また、図４は、一例として順に図４の上方向から下方向に向かって、順に階段状に開口端の位置が異なるように配置する場合を示すが、これに限定されるものではない。具体的には、例えば、開口端の位置が異なる限り異なる順序で配置してもよい。更に、図４においては、開管毎に同じ距離だけ開口端の位置をずらして配置する場合を示すが、開管の開口端の位置が異なる複数の開管を含む限り、当該各距離は異なるように構成してもよい。更に、図４においては４の開管のみを示すが異なる数の開管を有してもよい。
【００２４】
また、図１乃至図３においては、キャビネット１０２の内側及び外側の両側で開管の第１の開口端の位置及び第２の開口端の位置が異なる場合を示すが、図５に示すように、キャビネット１０２の内側（図５の右側）でのみ第２の開口端の位置が異なるように構成してもよい。言い換えれば、第１または第２の開口端の位置のいずれかが異なるように構成してもよい。
【００２５】
次に、図６を用いて、本実施の形態における効果について説明する。図６は、本実施の形態における効果について説明するための図である。図６においては、図６左からスピーカ１０１からの出力に応じて矢印６０１で示すように開管群１０３に空気が流入し、開管群１０３の右側に流出する場合を示す。また、図６においては、図５に示す場合と同様に、開管群１０３が４の開管６０４乃至６０７で構成されている場合を例として説明する。
【００２６】
まず、図６（Ａ）に示すようにスピーカ１０１からの出力に応じて矢印６０１で示す空気が複数の開管６０４乃至６０７の第２の開口端６０８に到達すると、矢印６０２に示すように各開管６０４乃至６０７に分かれて流入する。ここで、複数の開管６０４乃至６０７の第２の開口端６０８は、位置が同じであることから、流入した空気の位相は各開管６０４乃至６０７で同じとなる。当該空気の位相がそろっている面を６０３で示す。そして、図６（Ａ）及び（Ｂ）に示すように、流入した空気は、各開管６０４乃至６０７を左側から右側へ向けて進む。
【００２７】
次に、図６（Ｃ）に示すように、空気が開管６０４の第１の開口端６０９から流出する際に、開管６０４の第１の開口端６０９で気流の乱れが発生する。なお、図６においては当該気流の乱れについては黒色の矢印で示す。また、更に時間が経過して、図６（Ｄ）に示すように、空気が開管６０５の第１の開口端６１０から流出する際には開管６０５の第１の開口端６１０で気流の乱れが発生する。以下同様に、時間の経過に伴い、開管６０６の第１の開口端６１１及び開管６０７の第１の開口端６１２で、順に気流の乱れが発生する。
【００２８】
このように、本実施の形態においては、第１の開口端６０９乃至６１２の位置を、開管群１０３を構成する少なくとも一部の開管間で異なる位置とすることにより、少なくとも一部の開管間での気流の乱れが発生するタイミングをずらすことができる。これにより、バスレフポートの開口端で気流の乱れが同時に発生し、ノイズが大きくなることを抑制することができる。
【００２９】
なお、図６においては、図５に示す例を用いて説明したが、例えば、図１乃至３や図４に示すように、開口端の位置を少なくとも一部の開管間で異なる位置とする限り、少なくとも一部の開管間で気流の乱れの発生タイミングをずらすことができ、上記と同様の効果を奏することができる。また、図６においては、開管毎に順に開口端の位置が異なる場合について説明したが、一部の開管間で開口端位置が異なる限りその他の態様であってもよい。具体的には、例えば、図１乃至３に示すように、開口の最も外側に位置する複数の開管の開口端の位置を同一にし、次に内側に位置する複数の開管の開口端の位置を同一にする等である。
【００３０】
また、例えば、図１乃至３及び図５に示すように、開管群１０３として異なる長さの開管を用いることにより、開管間で共鳴周波数を異ならせることができる。これにより、開管の共鳴によるノイズを抑制することができる。なお、図１乃至３及び図５においては、異なる長さの開管を用いて開口端位置を異ならせる場合について説明したが、異なる長さの開管を用いて開口端位置が同じであるように構成してもよい。この場合、例えば、開管群１０３を構成する一部の開管を曲げて構成する。
【００３１】
図７は、１本の管で構成されたバスレフポートによる音圧と周波数の関係の一例を示す図である。図８は、本実施の形態のように複数の開管でバスレフポートを構成し、開管の長さを異ならせた場合の音圧と周波数の関係の一例を示す図である。図７及び図８を比較するとわかるように、開管の長さを異ならせた場合、共鳴周波数が開管間で異なることになることから、図７と比較して、複数の管の共鳴周波数を周波数帯域で分散させることができ、音圧の小さい複数の共鳴が起こることとなる。言い換えれば、図７と比較して、音圧の高い共鳴の発生を防止することができる。
【００３２】
本発明は、上記実施の形態に限定されるものではなく、上記実施の形態で示した構成と実質的に同一の構成、同一の作用効果を奏する構成又は同一の目的を達成することができる構成で置き換えてもよい。
【００３３】
例えば、上記においては、主に、開管群１０３を構成する複数の開管が各位置で太さが同一である場合について説明したが、上記各開管の一部または全部をテーパ状の開管として構成してもよい。ここで、テーパ状の開管とは、例えば、図９に示すように、一方の開口端から他方の開口端に向かう方向に開口の面積が変化するように形成された開管に相当する。具体的には、例えば、当該テーパ状の開管は、例えば、キャビネット１０２内部の開口端からキャビネット１０２外部に向かう方向に開口の断面積が徐々に増加するように構成する。これにより、図１０に示すように音圧を小さくすることができ、管共鳴のＱ値を小さくすることができる。なお、図１０は、テーパ状の開管を用いた場合、及び、太さが一定である直管を用いた場合における周波数と音圧の関係を表す。図１０においては、実線がテーパ状の開管を用いた場合の周波数と音圧の関係、破線が直管を用いた場合の周波数と音圧の関係を示す。また、図９に示したテーパ状の開管は一例であって全体としてテーパ形状となっている限りその他の形状であってもよい。
【００３４】
また、例えば、開管群１０３を構成する各開管の端部の形状は、上記のように開管の長さ方向に対して略垂直となる形状に限られず、開管の長さ方向に対して所定の角度を有するように構成してもよい。具体的には、例えば、図１１乃至図１３に示すように開管群１０３の開管の端部の形状を開管群１０３全体として滑らかな凹部を形成するように構成してもよい。なお、図１１乃至図１３に示した開管群１０３の開管の端部の形状は例示であってこれに限定されるものではない。例えば、開管群１０３の開管の端部の形状を開管群１０３全体として凸部を形成するように構成してもよい。なお、図１１乃至図１３は、図１乃至図３に対応する。具体的には、図１１は、上記実施の形態におけるスピーカ装置を正面から見た場合の他の一例を表す斜視図である。図１２は、図１１に示すスピーカ装置を側面から見た場合の概要を表す斜視図である。図１３は、図１１に示すスピーカ装置を側面から見た場合の概要を示す断面図である。
【００３５】
上記においては、開管群１０３が対応するキャビネット１０２の第２の開口部１０５に配置される場合について説明したが、開管群１０３を構成する各開管に対応する開口をキャビネット１０２に設け、開管毎にキャビネット１０２に配置されるように構成してもよい。
【００３６】
更に、上記においては、主に太さが同じ開管を束ねて開管群１０３を形成する場合について説明したが、太さの異なる複数の開管を用いて開管群１０３を形成してもよい。また、この場合、例えば、太さの細い方の管が太い方の管の内側に配置されるように構成してもよい。具体的には、例えば、図１４に示すように順に太い方の管がより細い管内部に配置するように構成してもよい。なお、図１４においては、内部の管が外部の管の開口端の外側に位置する開管群１０３を示すが、上記と同様に開口端の位置が異なる開管を有する限り、図１４に示した開管群１０３に限定されるものではない。
【００３７】
更に、開管群１０３を形成する開管間には例えば樹脂等で形成されたスペーサを配置するように構成してもよい。また、開管群１０３を形成する各開管は、互いに独立した管である必要はなく、例えば、樹脂等で形成される本体部に形成された複数の開口として形成してもよい。
【００３８】
更に、上記においては、主に、開管群１０３を構成する各開管が直線形状の直管である場合について説明したが、当該各開管は、直線形状に限られず、曲線形状であってもよいし、例えば、Ｌ字形状のように所定の位置で所定の角度を有するように構成してもよい。また、この場合、上記のように、各開管の長さが異なるように構成してもよいし、各開管の長さを同じにして開口端の位置が異なるように構成してもよい。
【００３９】
なお、特許請求の範囲における複数の開管は、例えば、上記各開管や本体部に形成された各開口に相当する。また、特許請求の範囲における第１及び第２の開口端は、例えば、開管群１０３を形成する各開管の開口の各端部や、開管が本体部の開口として形成される場合には当該開口の各端部に相当する。
【符号の説明】
【００４０】
１０１  スピーカ、１０２  キャビネット、１０３  開管群、１０４  第１の開口部、１０５  第２の開口部、６０４、６０５、６０６、６０７  開管。
【図１】
2017017628.tif 000003
【図２】
2017017628.tif 000004
【図３】
2017017628.tif 000005
【図４】
2017017628.tif 000006
【図５】
2017017628.tif 000007
【図６】
2017017628.tif 000008
【図７】
2017017628.tif 000009
【図８】
2017017628.tif 000010
【図９】
2017017628.tif 000011
【図１０】
2017017628.tif 000012
【図１１】
2017017628.tif 000013
【図１２】
2017017628.tif 000014
【図１３】
2017017628.tif 000015
【図１４】
2017017628.tif 000016